(57)【要約】  耐衝撃性の家具用品（１）は、このための支持機能を有する荷重支持構造体（２）と、この荷重支持構造体（２）に設けられこれと共動して前記家具用品（１）の変形に伴うエネルギーの吸収及び／もしくは消散を果たす弾性層（１１）とを具備している。この弾性層（１１）は、変形され前記荷重支持構造体に対して摺動できるように、前記荷重支持構造体（２）の内面に重ねられ、また、少なくとも部分的に前記荷重支持構造体から離れている。前記家具用品を製造するための方法は、前記荷重支持構造体（２）を用意する工程と、前記荷重支持構造体（２）の複数の点に留め手段（１６）を用意する工程と、ポリ尿素から成る弾性層（１１）を、前記荷重支持構造体（２）の少なくとも１つの内面（１２）に好ましくはスプレーすることによって与え、従ってポリ尿素は、前記留め手段（１６）に与えられ、この留め手段（１６）の効果によって荷重支持構造体（２）に安定して接続され続ける工程とを、含む。
2010527734.tif 000002
【特許請求の範囲】
【請求項１】
耐衝撃性の家具用品（１）に対する支持機能を有する荷重支持構造体（２）と、
この荷重支持構造体（２）に設けられており、これと共動して前記家具用品（１）の変形に伴うエネルギーの吸収と消散との少なくとも一方を果たす弾性層（１１）とを具備し、この弾性層（１１）は、変形され得、前記荷重支持構造体に対して摺動し得るように、前記荷重支持構造体（２）に重ねられ、少なくとも部分的にこの荷重支持構造体（２）とは非結合である、
耐衝撃性の家具用品。
【請求項２】
前記弾性層（１１）は、ポリ尿素を、好ましくは、スプレーすることによって形成されることを特徴とする請求項１に記載の家具用品。  
【請求項３】
前記弾性層（１１）は、前記荷重支持構造体（２）の複数の点のところでのみ、この荷重支持構造体（２）に安定して接続されていることを特徴とする請求項１または２に記載の家具用品。
【請求項４】
前記複数の点のところで前記荷重支持構造体（２）に安定的に接続された一対の留め部材（１６）を具備し、これら留め部材（１６）の各々は、これら留め部材（１６）から離れて配置されている複数のフィラメント（１８）を有しており、これらフィラメント（１８）は、前記荷重支持構造体（２）に安定して接続された前記弾性層（１１）を維持するように、前記弾性層（１１）に作用するグリップ部材を規定していることを特徴とする、請求項３に記載の家具用品。
【請求項５】
前記荷重支持構造体（２）と弾性層（１１）との間に置かれた取着されていない材料により形成された中間層（１５）を具備し、少なくとも相互の摺動によって、前記弾性層（１１）を前記荷重支持構造体（２）に対して非結合に維持することを特徴とする、請求項１乃至４のいずれか１に記載の家具用品。
【請求項６】
前記荷重支持構造体（２）は、２つの側壁（３、４）と、これら側壁（３、４）に接続されている中間部（５）とを有し、これら両側壁と中間部とは、使用者のための保護室（Ｃ）を形成することができるスペース（Ｓ）を規定し、これら側壁（３、４）と中間部（５）とは、開口部を有しておらず、単一部品として一緒に形成されることを特徴とする、請求項１乃至５のいずれか１に記載の家具用品。
【請求項７】
前記弾性層（１１）は、前記保護室（Ｃ）の方に向けられた前記荷重支持構造体（２）の内面（１２）に位置されており、この保護室（Ｃ）を、外側の状況から生じてこの保護室（Ｃ）中へと動く物体と破片とから少なくとも保護することを特徴とする請求項６に記載の家具用品。
【請求項８】
前記弾性層（１１）は、前記荷重支持構造体（２）に、前記中間部（５）と両側壁（３、４）との間にある角部分（１３、１４）で、安定して接続されていることを特徴とする請求項６または７に記載の家具用品。
【請求項９】
前記荷重支持構造体（２）は、好ましくは引き抜き成形によって、細長い繊維を有する材料で、少なくとも部分的に形成されている請求項１乃至８のいずれか１に記載の家具用品。
【請求項１０】
主体である前記荷重支持構造体（２）は、高い機械的強度の効果を得るために、樹脂と、ガラスファイバと、スチールで補強されたポリマーとから成るグループより選択された１つ以上の材料によって形成された第１の層（６）と、前記荷重支持構造体の変形時のエネルギーの消散と吸収との機能を果たすために、樹脂と、アラミドファイバと、及びスチールで補強されたポリマーとから成るグループより選択された１つ以上の材料によって形成された第２の層（７）とを有することを特徴とする請求項１乃至９のいずれか１に記載の家具用品。
【請求項１１】
前記荷重支持構造体（２）は、閉鎖部材（１９）を有し、この閉鎖部材（１９）は、前記荷重支持構造体（２）の前記両側壁（３、４）及び中間部（５）と共動して、前記保護室（Ｃ）を規定した閉鎖形状を形成するように、前記側壁（３、４）に安定して接続され得ることを特徴とする請求項６に記載の家具用品。
【請求項１２】
この家具用品は、棚（２０）を具備しており、この棚（２０）は、前記荷重支持構造体（２）に安定して接続され、前記中間部（５）から保護室（Ｃ）の方向に離されており、またこの棚（２０）は、前記保護室（Ｃ）と外的な衝撃作用との間の追加の介在部材を規定するように、ポリ尿素から形成された少なくとも１つの弾性フィルム（２２）を有することを特徴とする、請求項６乃至１１のいずれか１に記載の家具用品。
【請求項１３】
この家具用品は、接続手段を具備しており、前記接続手段は、前記荷重支持構造体（２）に接続され、床に安定して接続可能であり、少なくとも家具用品（１）に対する衝撃的事故の際、前記荷重支持構造体（２）を床に対して所定位置で安定して維持することを特徴とする、請求項１乃至１２のいずれか１に記載の家具用品。
【請求項１４】
前記荷重支持構造体（２）を用意する工程と、
前記荷重支持構造体（２）の複数の点に留め手段（１６）を与える工程と、
ポリ尿素からなる弾性層（１１）を、前記荷重支持構造体（２）の少なくとも一面に、好ましくはスプレーすることによって与え、従って、与えられたポリ尿素は、前記留め手段（１６）に重ねられ、この留め手段（１６）によって前記荷重支持構造体（２）に安定して接続され続ける、前記弾性層を与える工程とを含む請求項１乃至１３のいずれか１に記載の家具用品を製造するための方法。
【請求項１５】
前記弾性層（１１）を与える工程の前に、取着されていない材料の中間層（１５）を、前記留め手段（１６）の無いところで、前記荷重支持構造体（２）の前記表面（１２）の複数の部分に与え、ポリ尿素から成るこの中間層（１５）を、前記留め手段（１６）のところを含まず、前記表面（１２）の前記複数の部分のところで、この表面（１２）から離す工程を具備する請求項１４に記載の方法。
【請求項１６】
家具用品（１）が位置される表面に安定して接続可能であり、この家具用品（１）を前記表面に対して安定した位置に維持することができる取り外し可能な接続手段を前記荷重支持構造体（２）に与える工程を具備する請求項１４または１５に記載の方法。
【発明の詳細な説明】
【技術分野】
【０００１】
本発明は、衝撃、特に瞬間的な衝撃に耐え得る家具用品もしくは備え付け部材に関わる。好ましくは、本発明に係る家具用品は、使用者の少なくとも一部、特に脚を収容するためのスペースを規定できる。例のようなものでは、この家具用品は、屋台、もしくは、書き物机であり得る。
【０００２】
また、本発明は、このような家具用品を製造するための方法に関わる。特に、この方法は、家具用品本体に対する衝撃がある場合にエネルギーを消散させることができ、また、このような衝撃の間、フロアに安定して留められたままであることができる家具用品を製造するように意図されている。
【背景技術】
【０００３】
屋台もしくは書き物机のような公知の家具用品は、水平な作業カウンターを提供するように硬い構造体を規定するために、一般には直角に相互接続される木製パネル（丈夫な木材、ベニヤ板、チップボードなど）を用いて製造される。
【０００４】
また、先行技術では、家具用品の構造が、金属、特に鋼鉄から成る棒もしくは型材を用いて家具用品を補強することが、知られており、これら棒もしくは型材は、この家具用品の構造をより硬くするために、木製パネルに留められており、硬い木製の構造体を、これが単独で耐え得る負荷より大きい負荷に耐え得るようにしている。一般に、このことは、学校で使用される机に為されており、金属製の型材が、作業カウンターを抵抗作用で支持し、また、机自体の脚部を形成している。
【０００５】
しかしながら、木材によって形成され、並びに／もしくは、金属製の型材で補強されているこうした形式の家具用品は、激しい瞬間的な衝撃もしくは負荷、例えば、特に、この家具用品が置かれている建造物の構造部材の一部の落下もしくは崩壊によって生じる衝撃に、耐えることができない。
【０００６】
例えば、天井や石造壁の一部を伴う衝撃を受けやすい、学校で使用するための机、もしくは書き物机を考えてみる。構造体の崩壊の結果生じる天井もしくは石造壁の一部の落下によって、机はすぐに崩壊し、金属製の型材は、実際、このような崩壊に対する抵抗力を有効に高めることが出来ないだろう。
【０００７】
より詳しくは、統計的に起こりやすい衝撃は、分配された衝撃、もしくは、集中した衝撃であり得る。分配された衝撃は、作業カウンターのほぼ全体に過大負荷を生じさせ、机の構造を崩壊し、この脚部が互いに開き、机は押し潰される。集中した衝撃は、作業カウンターの限られた位置に集中して過大負荷を生じさせ、作業カウンターに穴を開け得、こうした集中した動きに対して机による有効な抵抗は無い。更に、どちらの場合でも、木製部品（及び場合によっては金属製部品）の分裂は、非常に鋭い破片を形成し、従って、使用者の深刻な傷害をも引き起こす。また、これらは、机もしくは机の一部の崩壊を引き起こす衝撃作用と同時に作用する。
【０００８】
どちらの状況でも、机は、おそらく非常に深刻となる傷害に対する有効な保護を与えず、かくして机は、地震のような悲劇的な事故の後、避難所として使用されることもできない。
【０００９】
従って、従来技術の家具用品が衝撃に対する抵抗力もしくは回復力に欠けていることは、構造的な抵抗能力が乏しいことと、使用者と衝撃作用との間の介在部材が作業カウンターのみであることと、壊れやすく、鋭い破片を形成するような、従って非常に危険な崩壊の仕方であることとが原因である。
【発明の概要】
【００１０】
本発明の技術的な目的は、上記のような欠点の無い耐衝撃性の家具用品と、このような家具用品を製造するための方法とを使用可能にすることである。
【００１１】
この技術的な目的の中で、最も重要な目的は、危険な事故の際に、使用者が保護室を規定するのに適したスペースを得ることのできる耐衝撃性の家具用品を使用可能にすることである。
【００１２】
より詳しくは、本発明の目的は、耐衝撃性の家具用品と、このような家具用品を製造する方法とを使用可能にし、家具自体の壊れやすい崩壊の危険性を減じることである。更に、本発明の重要な目的は、耐衝撃性の家具用品と、このような家具用品を製造する方法とを使用可能にし、危険な事故の際に、破片及び／もしくは尖ったかけらの形成に関わる、使用者にとっての危険を防ぐことである。
【００１３】
また、本発明の目的は、耐衝撃性の家具用品と、このような家具用品を製造する方法とを使用可能にし、衝撃を与えるものと家具用品内のスペースの一部との間に、十分な介在作用を生じさせることである。
【００１４】
本発明の更なる重要な目的は、耐衝撃性の家具用品と、このような家具用品を製造する方法とを使用可能にし、分配された衝撃と集中した衝撃との両方を防ぐための保護作用を働かせるようにすることである。
【００１５】
これらの目的と、後に本記載で容易に明らかになるような更なる他の目的とは、請求項１と１３、及び／もしくは、同請求項に従属する１以上の請求項に記載されている特徴をそれぞれ有する耐衝撃性の家具用品と、このような家具用品を製造する方法とによって、十分に果たされる。
【図面の簡単な説明】
【００１６】
【図１】図１は、本発明に係る家具用品の斜視図を示している。
【図２】図２は、図１の家具用品の正面図を示している。
【図２ａ】図２ａは、図２の第１の細部の拡大された正面図を示している。
【図２ｂ】図２ｂは、図２の第２の細部の拡大された正面図を示している。
【図２ｃ】図２ｃは、図２の第３の細部の拡大された正面図を示している。
【図３】図３は、図１の家具用品の一部の組み立て分解図を示している。
【図４】図４は、第１のゆがんだ構造である図２の家具用品の正面図を示している。
【図５】図５は、第２のゆがんだ構造である図２の家具用品の正面図を示している。
【発明を実施するための形態】
【００１７】
非制限的な例として、本発明及び添付の図に係る耐衝撃性の家具用品とこのような家具用品を製造する方法との、好ましいがこれに限定されない実施形態が、以下に示されている。
【００１８】
図１で、参照符号１は、本発明に係る家具用品を全体的に示している。本記載では、本発明に係る家具用品として、学校で使用するための机について記載されている。しかし、学校で使用するための机としての適用が特に好ましいが、本発明は、危険な事故の際に一人以上の人のための保護室を規定し得るいかなる形式の家具用品、例えば、書き物机、テーブル、キャビネット、ブリッジ本箱、一般の家具用品も含まれ得るので、この特殊な適用に制限されない。
【００１９】
この机は、中間部５によって接続されている対の側壁３、４によって規定されている荷重支持構造体２を有している。この中間部５は、机に対する支持面及び／もしくは作業カウンターを規定しており、従って、前記両側壁３、４は、ほぼ垂直方向に延びて置かれているのに対し、この中間部５は、ほぼ水平な状態で置かれている。好ましい実施形態に従えば、図示されてはいないが、前記両側壁３、４は、好ましくはほんのわずかに前記中間部５から開いている。前記荷重支持構造体２は、「樹脂トランスファー成形」（ＲＴＭ）と称されているプロセスによって、好ましくは単一工程で、形成される。学校で使用するための机を参照すると、前記荷重支持構造体２のための直立部材を規定している前記両側壁３、４間に、前記中間部５は、正常の使用時に使用者の一部、特に脚が収容され得るスペース「Ｓ」を定めている。好ましくは、前記両側壁３、４と中間部５とは、この後に説明される理由のために、好ましくは、開口部を有していない。
【００２０】
好ましくは、前記両側壁３、４と中間部５とは、互いに単一部品として形成される。言い換えると、前記側壁３、４の一方と中間部５と、もう一方の側壁３、４と中間部５の間には、これらの間の通過域に接続部が無いように、構造的に連続している。このことによって、荷重支持構造体２の全体の力が増大し、従って、この荷重支持構造体２は、激しい衝撃に対しても比較的良く耐え得るようになる。
【００２１】
図示されている実施形態に従えば、前記荷重支持構造体２は、組み立て分解図である図３に明示されているように、第１の層６と第２の層７とを有している。この第１の層６は、前記第２の層７より外側の位置にある。即ち、前記２つの層６、７は、第２の層７が前述のスペース「Ｓ」に向けられているようにして、相互に配置されている。これら２つの層６、７は、異なる機械的特性を有し、特に、硬さと、変形する場合のエネルギーの吸収及び消散の能力とに、異なる値を有する。好ましくは、前記第１の層６は、高い機械的強度の機能を得るために、樹脂と、アラミド繊維と、鋼鉄で補強されたポリマーとから成るグループから選択された１つ以上の材料から成り、これに対し、前記第２の層７は、変形する場合のエネルギーの消散及び吸収の機能、即ち、衝撃強度を得るために、樹脂と、アラミド繊維と、鋼鉄で補強されたポリマーとから成るグループの１つ以上の材料から形成される。かくして、これら２つの層６、７は、異なる働きを示し、従って、負荷による働きに関して、異なる機能を示す。好ましい実施形態に従えば、この荷重支持構造体２は、第３の層８を更に有しており、この第３の層８は、前記第２の層７に近接し、第１の層６に対して反対側、即ち、前記スペース「Ｓ」の方に向けられている。この第３の層８は、好ましくは、引き抜き成形プロセスによって得られる細長い繊維を有する材料から成る。「引き抜き成形」という用語は、特に強く丈夫な構造を得るように繊維の束に樹脂を染み込ませてこれを固めるという、プラスチック材料のための加工プロセスを示す。好ましくは、更に、この荷重支持構造体２は、外側の層９を有しており、この層９は、前記第２の層７の反対側のところで前記第１の層６に結合されており、机の外側の目に見える表面１０を規定している。この外側の層は、一般の材料で得られ、特に、平滑で洗浄可能な面を規定し得るものである。前述のように重ねられた層６、７、８、９は、図３に従えば、対応した形状を有しており、これら形状は、互いに精度良く重ねられるように、互いにほぼ相補的に形成されており、また、前記荷重支持構造体を得るために、相互に安定して取着されている。
【００２２】
好ましくは、この机は、前記荷重支持構造体２の表面を少なくとも部分的に覆っている弾性層１１を有しており、また、この弾性層１１は、前記荷重支持構造体２自体に接続されており、この荷重支持構造体と共同して、机の変形によって生じるエネルギーの吸収及び／もしくは消散を果たす。図１、２、３、４、５に従えば、この弾性層１１は、前記荷重支持構造体２の内面１２に重ねられており、即ち、前記荷重支持構造体２自体の第３の層８に重ねられている。この弾性層１１は、ポリ尿素によって、好ましくは、ポリ尿素を前記内面１２に直接スプレーすることによって形成され、好ましくは、前記荷重支持構造体の内面１２全体に重ねられている。
【００２３】
好ましくは、更に前記弾性層１１は、この弾性層１１と内面１２との間での相互の摺動を可能にするために、前記内面１２に対して、従って前記荷重支持構造体２に対して少なくとも部分的に非結合である。この非結合を不可能にするために、前記弾性層１１は、不連続の複数の点、特に、少なくとも第１の対の点のところでのみ、前記荷重支持構造体２に結合されている。より詳しくは、このような結合は、前記中間部５と２つの側壁３、４との間に位置されている前記荷重支持構造体２の２つの角部分１３、１４のところで為されている。前記荷重支持構造体２の内面１２の残りの部分には、取着されていない材料から形成され、前記内面１２を覆っている中間層１５があり、この中間層１５は、前記荷重支持構造体２と弾性層１１との間に挟まれており、従って、例えば机に対する瞬間的な衝撃の結果前記荷重支持構造体２が受ける変形の影響で、この層は、前記荷重支持構造体２に対して少なくとも部分的に非結合となり、そして変形され得、これに対して接線方向に摺動する。「取着されていない材料」もしくは「動かす材料」という用語は、対の面間の相互の摺動を容易にしてこれらの結合を防ぐことができる材料を意味し、本発明の範囲内では、この取着されていない材料は、好ましくは、シリコーン界面活性剤、アクリル樹脂、ポリビニルブチラートもしくは目に見えない接着剤であり、これらは、ポリ尿素の弾性層１１を与える前に、内面１２の部分にスプレーすることによって用いられる。
【００２４】
前記弾性層１１の荷重支持構造体２との結合は、図２ａに従えば、この荷重支持構造体２に安定して設けられ、この取着点に位置されているこれら留め部材１６の各々によって為される。
【００２５】
各留め部材１６は、前記荷重支持構造体２に接続されている支持部１７と、好ましくはガラス、アラミドもしくは炭素繊維から成る複数のフィラメント１８とを有しており、これらフィラメント１８は、前記弾性層１１と係合するようにこの支持部１７から延び、前記弾性層１１に対して万能のグリップ手段を規定している。より詳しくは、前記フィラメント１８は、前記荷重支持構造体２の内面に沿うように方向付けられており、従って、尿素がこの内面１２にスプレーされた時に、尿素は前記フィラメント１８を覆っていき、尿素が固まると、前記フィラメント１８は、尿素によって得られる前記弾性層１１に永久的に接続され、元の状態に戻すことができない。より好ましくは、前記フィラメント１８は、巻かれたワイヤを構成しており、この巻きのワイヤは、部分的に前記支持部１７中に埋め込まれ、前記弾性層１１に充填され且つ留められ得る自由外端部を有している。このために、前記フィラメント１８は、前記荷重支持構造体２の内面１２に平行し、即ち、平面図で見ると、３６０度のフラワー（３６０° flower）を形成するように、１つ以上の面にうまく分配される。
【００２６】
第１の実施形態に従えば、前記留め部材１６は、前記荷重支持構造体２の第３の層８によって、特に、第３の層８の厚さを増すことによって、この第３の層８の一体的な突出部として、直接的に得られる。第２の実施形態に従えば、前記留め部材１６は、前記第３の層の形成後に、これに接続され、そして、この接続は、化学的／物理的／機械的な結合システム、好ましくは接着によって為される。
【００２７】
更に前記荷重支持構造体は、好ましくは、添付の図に従えば、閉鎖部材１９を有しており、この閉鎖部材１９は、好ましくは、前記中間部５に対して反対側、またより好ましくは、前記中間部の反対側の両側壁３、４の端部のところで、この荷重支持構造体２の両側壁３、４に安定して接続されている。この構成で、この閉鎖部材１９は、使用者の脚載せ台を規定している。この閉鎖部材１９と両側壁３、４との間の安定した結合は、機械的もしくは化学的な手段、図２ｃに示されているねじ結合の手段によって、果たされる。好ましくは、前記閉鎖部材１９は、炭素繊維によって形成され、引き抜き成形プロセスによって得られ、そして、机が外的衝撃作用を受けやすい崩壊の種類に応じて、タイ・ロッドもしくは支柱としての役割を果たし得る。更に机は、好ましくは、棚２０を有しており、この棚２０は、前記両側壁３、４に安定して接続され、前記荷重支持構造体２の中間部５から下方に離されて位置されている。この棚は、例えば書籍のための支持部であり、好ましくは、細長い繊維を有する材料で形成されている主体２１を有しており、また、好ましくはポリ尿素で形成されている弾性フィルム２２を更に有している。この棚２０は、前記留め部材１６に類似した補助の留め部材２３によって支持されており、また、前記荷重支持構造体２、特に前記第３の層８に安定して接続されている。しかしながら、この場合、前記補助の留め部材２３が存在することによって、前記両側壁３、４に沿った前記弾性層１１の連続性が妨げられるので、前記弾性層１１は、４つの点で、即ち、角部分１３、１４と棚２０のところで、前記第３の層８に接続される。また、前記補助の留め部材２３は、前記棚２０の弾性ポリ尿素フィルムを染み込ませて図２ｂに示されているように前記棚２０の支持を形成するための１つ以上の補助のフィラメント２４を有しており、前記フィラメント２４は、前記内面１２から離れたところで、この内面１２に対して直交するように延びている。また、前記補助のフィラメント２４は、ガラス、アラミド、もしくは炭素繊維から成る。
【００２８】
この構成で、前記棚２０は、前記荷重支持構造体２の中間部５に対して平行であることが好ましく、前記棚２０は、この棚の下にある前記スペース「Ｓ」を補うための追加の介在部材を規定している。前記棚２０と前記荷重支持構造体２の中間部５との間には、書籍やアクセサリーを収容するための区画２５が定められており、前記中間部５は、机が上方から激しく打たれた場合、この区画内で自由に変形され得る（図４の変形部分参照。この図で、机の変形されていない構造は、破線で示されている）。前記中間部５の変形が非常に激しい場合、前記中間部５の変形は、前記棚２０との介在点に及び、そしてこの棚２０が変形し、次の変形に対する追加の妨げを規定する（図５の変形部分参照。この図で、机の変形されていない構造は、破線で示されている）。前述の机の構造に従えば、前記荷重支持構造体２と、場合によっては下方に位置されている前記閉鎖部材１９とによって定められているスペース「Ｓ」が、保護室「Ｃ」を規定しており、この保護室「Ｃ」内で、使用者が、机の置かれている建造物の破片及び／もしくは一部の落下といった危険な事故に対する避難所を得ることができる、ということは、すでに明らかである。このことは、使用者の各々が各自の机に設けられた保護室「Ｃ」内で避難所を得ることができるので、地震事故の場合に、特に有効である。上方から生じる衝撃的な負荷がある場合に、前記閉鎖部材１９が存在することによって、机の脚部が開いて崩れ落ちるような机の代表的な崩壊が防がれるので、机の全体的な強度が更に増大する。
【００２９】
好ましくは、前記荷重支持構造体２は、家具用品１の変形時のエネルギーを消散させてこの家具用品１の変形を防ぐように前記両側壁３、４と床との間で作用する接続手段によって、床に安定して接続され得、また好ましくは、取り外し可能である。特に、図２、４、５に、また詳しくは図２ａに示されているように、これら接続手段は、前記荷重支持構造体２の両側壁３、４の下側の部分、即ち脚部に安定して接続されている複数の吸引部材「Ｖ」から成り、これらは、前記家具用品１が位置する床の支持面に取着することができる。更に、好ましくは、前記荷重支持構造体２の両側壁３、４には、前記吸引部材「Ｖ」が装着されており、また、さらに好ましくは、前記吸引カップ部材「Ｖ」は、前記両側壁３、４にほぼ同じ留め効果をもたらすように、対の状態で、これら両側壁３、４に左右対称に配置されている。家具用品１が学校で使用するための机ではなく、一般的に他の家具用品である場合、１人以上の人を収容でき且つ危険な事故の際に彼らの避難所となる程度のディメンションを有する好ましくは閉鎖形状で定められたスペース「Ｓ」を得ることによって、前述のような形式の保護室「Ｃ」を同様に得ることができる。
【００３０】
本発明は、提示された目的を果たし、先行技術に示されている欠点を克服する。
【００３１】
弾性層、特にポリ尿素からなる層が設けられている荷重支持構造体を有している家具用品の構造は、この弾性層が、前記荷重支持構造体の強度が低下しても、家具用品の強度を助長するように変形され、家具用品が壊れやすくなる危険性、即ち潰れる危険性を大いに減じることができるので、荷重支持構造体が崩壊しても衝撃負荷に耐えることができる。更に、このことは、前記弾性層と荷重支持構造体との間で相互の摺動が可能であることによって促進される。摺動可能であることによって、前記弾性層は、前記荷重支持構造体の大きな変形からも影響を受けず、各場で家具全体の強度を助長できる。
【００３２】
また、前記荷重支持構造体の強度は、種々の機能を有する種々の層の上に構成されていることと、好ましくは前記荷重支持構造体の全体に沿って延びている細長い繊維を有する材料を使用することとによって、著しく向上される。特に、前記第１の層は、相当の機械的な強度をもたらし、これに対し前記第２の層は、十分にマトリクスを染み込んだアラミドもしくはスチール繊維を有することによって、衝撃もしくは激しい衝突の際に有効な衝撃保護作用及び相当のエネルギー消散をもたらす。
【００３３】
さらに、前記弾性層を前記荷重支持構造体の内面に配置することによって、前記保護室を、前記荷重支持構造体の破裂及び／もしくは崩壊によって生じる破片や鋭いかけらから、隔離させることができる。
【００３４】
加えて、各層の両側壁が対応する中間部との一体部品として形成されている保護室を定めるように閉鎖形状を採用することによって、前記荷重支持構造体の強度が高まり、従って、この中に避難する使用者のための安全水準が高まる。
【００３５】
学校で使用するための机の場合、衝撃抵抗が、閉鎖しており開口部が無く従って使用者のための保護室を完全に規定できる前記両側壁にまでも及ぶ。更に、前記保護室によって与えられる安全水準は、上方から生じる衝撃作用と前記保護室との間に介在される追加の部材を構成する本棚があることによって、高められる。
【００３６】
家具用品の安定性への更なる助長が、前記両側壁の下側の部分を床に留める効果をもたらす接続手段があることによって、もたらされる。前記接続部材があることによって、第１の段階では、家具用具を水平に配置することと、使用者が保護室を得ようとする時に家具用品が望ましくない変位（移動、転倒）を受けないように、家具用品を所定位置に維持することとが可能となる。第２の段階では、特に、前記接続手段が複数の吸収カップ部材の形態である場合、前記接続手段があることによって、前記荷重支持構造体の変形時のエネルギーの消散が限定される。更に、前記接続手段は、前記荷重支持構造体の両側壁の位置を安定させ、衝撃がある場合この荷重支持構造体の変形を防ぎ、特に、前記両側壁が例えば上方から生じる衝撃の作用によって「開いて」崩壊するのを妨げるように助長する。ポリ尿素の使用に関して、この効果の中で強調されるのは、硬化時間がとても短いこと（固めるのに数秒）と、簡単にスプレーすることによって完了するという適用の容易さとである。
【図１】
2010527734.tif 000003
【図２】
2010527734.tif 000004
【図２ａ】
2010527734.tif 000005
【図２ｂ】
2010527734.tif 000006
【図２ｃ】
2010527734.tif 000007
【図３】
2010527734.tif 000008
【図４】
2010527734.tif 000009
【図５】
2010527734.tif 000010
【国際調査報告】
2010527734.tif 000011
2010527734.tif 000012
2010527734.tif 000013